(57)【要約】【課題】バックライトの寿命に影響を与えることなく、表示部に表示する映像の明るさを維持することが可能なテレビジョン装置および表示装置を提供する。【解決手段】映像を表示する液晶パネル９ａと、液晶パネル９ａを照射するバックライト９ｂと、映像の明るさの設定を制御する制御部１１とを備え、制御部１１は、バックライト９ｂの総発光時間に応じて、映像の明るさの設定をより明るくするように制御するように構成されている。【選択図】図１
2008224780.tif 000002
【特許請求の範囲】
【請求項１】
映像を表示する表示部と、前記表示部を照射するバックライトとを備えたテレビジョン装置において、
前記映像の明るさの設定を制御する制御部と、
前記バックライトの総発光時間を計測するバックライト総発光時間計測部とをさらに備え、
前記表示部に表示する前記映像は、光の３原色である赤色、緑色および青色により表現され、
前記制御部は、前記バックライトの総発光時間に応じて、前記映像の明るさの設定をより明るくするように制御し、
前記制御部による前記映像の明るさの設定の制御は、前記光の３原色である赤色、緑色および青色のそれぞれの階調の設定値を調整することにより行うとともに、前記バックライトの総発光時間の増加に応じて、段階的に前記映像の明るさの設定を調整するように構成されている、テレビジョン装置。
【請求項２】
映像を表示する表示部と、
前記表示部を照射するバックライトと、
前記映像の明るさの設定を制御する制御部とを備え、
前記制御部は、前記バックライトの総発光時間に応じて、前記映像の明るさの設定をより明るくするように制御するように構成されている、表示装置。
【請求項３】
前記バックライトの総発光時間を計測するバックライト総発光時間計測部をさらに備えている、請求項２に記載の表示装置。
【請求項４】
前記制御部は、前記バックライトの総発光時間の増加に応じて、段階的に前記映像の明るさの設定を調整するように構成されている、請求項２または３に記載の表示装置。
【請求項５】
前記表示部に表示する前記映像は、光の３原色である赤色、緑色および青色により表現され、
前記制御部は、前記バックライトの総発光時間に応じて、前記光の３原色である赤色、緑色および青色のそれぞれの階調の設定値を調整するように構成されている、請求項２〜４のいずれか１項に記載の表示装置。
【発明の詳細な説明】
【技術分野】
【０００１】
この発明は、テレビジョン装置および表示装置に関し、特に、映像を表示する表示部と、表示部を照射するバックライトとを備えたテレビジョン装置および表示装置に関する。
【背景技術】
【０００２】
従来、映像を表示する表示部と、表示部を照射するバックライトとを備えた表示装置が知られている（たとえば、特許文献１〜３参照）。
【０００３】
上記特許文献１には、映像を表示する液晶パネル（表示部）と、液晶パネルを背面から照射するバックライトと、バックライトの累積使用時間（総発光時間）を計測するカウンタ（バックライト総発光時間計測部）と、バックライトの輝度（明るさ）を調整するパルス信号を出力するマイコン（制御部）とを備えた液晶テレビジョン（表示装置）が開示されている。この特許文献１による液晶テレビジョンでは、マイコンが、バックライトの累積使用時間に応じてパルス信号を変更することにより、バックライトの明るさを暗くすることによって、バックライトの寿命を延ばすように構成されている。
【０００４】
また、上記特許文献２には、映像を表示する電気光学パネル（表示部）と、パネルを照射するバックライト装置と、パネル周辺の外光の照度を測定する測光センサと、パネル周辺の温度を測定する側温センサと、バックライト装置の輝度を調整する光源駆動条件調整部とを備えた電気光学装置（表示装置）が開示されている。この特許文献２による電気光学装置では、光源駆動条件調整部が、パネル周辺の外光の照度および温度に応じてバックライト装置の輝度を調整することによって、パネルに表示する映像の明るさを調整する構成となっている。
【０００５】
また、上記特許文献３には、映像を表示する液晶表示部と、液晶表示部を照射するバックライトと、使用する季節、時間などの使用条件を予め設定する使用条件規定手段と、バックライトの輝度を調整する制御手段（制御部）とを備えた表示装置が開示されている。この特許文献３による表示装置では、制御手段が、予め設定された使用条件に応じてバックライトの輝度を調整することによって、液晶表示部に表示する映像の明るさを調整する構成となっている。
【０００６】
【特許文献１】特開２００６−２４５９２５号公報
【特許文献２】特開２００６−３９２４２号公報
【特許文献３】特開２０００−５８２７４号公報
【発明の開示】
【発明が解決しようとする課題】
【０００７】
しかしながら、上記特許文献１に記載の液晶テレビジョンでは、バックライトの累積使用時間に応じて、バックライトの明るさを暗くするように調整するので、バックライトの寿命を延ばすことが可能である一方で、バックライトの累積時間が多い場合に、液晶パネルに表示する映像の明るさを維持することができないという問題点がある。
【０００８】
また、上記特許文献２に記載の電気光学装置では、バックライトの輝度を調整することによって、表示部に表示する映像の明るさを調整する構成であるので、バックライトの寿命が近づいてバックライトの輝度が低下した場合には、映像の明るさを維持するために、バックライトの輝度を明るくするように調整する必要がある。このため、上記特許文献２に記載の電気光学装置では、表示部に表示する映像の明るさを維持するために、寿命の近づいたバックライトの輝度を明るくするように調整するので、バックライトの寿命を早めてしまうという問題点がある。
【０００９】
また、上記特許文献３に記載の表示装置では、予め設定された使用条件に応じてバックライトの輝度を調整することによって、液晶表示部に表示する映像の明るさを調整することが可能である一方で、バックライトの寿命が近づくに伴ってバックライトの輝度が低下するのに応じて、表示部に表示する映像の明るさを調整することができないので、映像の明るさを維持することができないという問題点がある。
【００１０】
この発明は、上記のような課題を解決するためになされたものであり、この発明の１つの目的は、バックライトの寿命に影響を与えることなく、表示部に表示する映像の明るさを維持することが可能なテレビジョン装置および表示装置を提供することである。
【課題を解決するための手段および発明の効果】
【００１１】
この発明の第１の局面によるテレビジョン装置は、映像を表示する表示部と、表示部を照射するバックライトとを備えたテレビジョン装置において、映像の明るさの設定を制御する制御部と、バックライトの総発光時間を計測するバックライト総発光時間計測部とをさらに備えている。また、表示部に表示する映像は、光の３原色である赤色、緑色および青色により表現され、制御部は、バックライトの総発光時間に応じて、映像の明るさの設定をより明るくするように制御し、制御部による映像の明るさの設定の制御は、光の３原色である赤色、緑色および青色のそれぞれの階調の設定値を調整することにより行うとともに、バックライトの総発光時間の増加に応じて、段階的に映像の明るさの設定を調整するように構成されている。
【００１２】
この第１の局面によるテレビジョン装置では、上記のように、映像を表示する表示部と、表示部を照射するバックライトと、映像の明るさの設定を制御する制御部とを設け、制御部を、バックライトの総発光時間に応じて、映像の明るさの設定をより明るくするように制御するように構成することによって、バックライトの輝度が低下した場合に、バックライトの輝度を明るくするように調整することなく、表示部に表示する映像の明るさを維持することができるとともに、バックライトの輝度を明るくするように調整する必要がないので、バックライトの寿命に影響を与えない。
【００１３】
また、第１の局面によるテレビジョン装置では、バックライトの総発光時間を計測するバックライト総発光時間計測部をさらに設けることによって、バックライトが発光した時間の合計を計測することができるので、バックライトの総発光時間に応じて映像の明るさを調整することができる。また、制御部を、バックライトの総発光時間の増加に応じて、段階的に映像の明るさの設定を調整するように構成することによって、バックライトの総発光時間が増加するのに伴ってバックライトの明るさが徐々に低下する場合に、制御部が、映像の明るさが低下するのを段階的に補完することができる。また、制御部を、バックライトの総発光時間に応じて、光の３原色である赤色、緑色および青色のそれぞれの階調の設定値を調整するように構成することによって、制御部が、光の３原色である赤色、緑色および青色のそれぞれの色の明るさを調整することができるので、バックライトの総発光時間に応じて映像の明るさを調整することができる。
【００１４】
この発明の第２の局面による表示装置は、映像を表示する表示部と、表示部を照射するバックライトと、映像の明るさの設定を制御する制御部とを備え、制御部は、バックライトの総発光時間に応じて、映像の明るさの設定をより明るくするように制御するように構成されている。
【００１５】
この第２の局面による表示装置では、上記のように、映像を表示する表示部と、表示部を照射するバックライトと、映像の明るさの設定を制御する制御部とを設け、制御部を、バックライトの総発光時間に応じて、映像の明るさの設定をより明るくするように制御するように構成することによって、バックライトの輝度が低下した場合に、バックライトの輝度を明るくするように調整することなく、表示部に表示する映像の明るさを維持することができるとともに、バックライトの輝度を明るくするように調整する必要がないので、バックライトの寿命に影響を与えない。
【００１６】
上記第２の局面による表示装置において、好ましくは、バックライトの総発光時間を計測するバックライト総発光時間計測部をさらに備えている。このように構成すれば、バックライトが発光した時間の合計を計測することができるので、バックライトの総発光時間に応じて映像の明るさを調整することができる。
【００１７】
上記第２の局面による表示装置において、好ましくは、制御部は、バックライトの総発光時間の増加に応じて、段階的に映像の明るさの設定を調整するように構成されている。このように構成すれば、バックライトの総発光時間が増加するのに伴ってバックライトの明るさが徐々に低下する場合に、制御部が、映像の明るさが低下するのを段階的に補完することができる。
【００１８】
上記第２の局面による表示装置において、好ましくは、表示部に表示する映像は、光の３原色である赤色、緑色および青色により表現され、制御部は、バックライトの総発光時間に応じて、光の３原色である赤色、緑色および青色のそれぞれの階調の設定値を調整するように構成されている。このように構成すれば、制御部が、光の３原色である赤色、緑色および青色のそれぞれの色の明るさを調整することができるので、バックライトの総発光時間に応じて映像の明るさを調整することができる。
【発明を実施するための最良の形態】
【００１９】
以下、本発明を具体化した実施形態を図面に基づいて説明する。
【００２０】
図１は、本発明の一実施形態による液晶テレビジョン装置の構成を説明するためのブロック図である。図２は、図１に示した本発明の一実施形態による液晶テレビジョン装置のバックライトの寿命特性と映像の明るさ設定の変化とを示した図である。まず、図１および図２を参照して、本発明の一実施形態による液晶テレビジョン装置１００の構成について説明する。なお、本実施形態では、テレビジョン装置および表示装置の一例である液晶テレビジョン装置に本発明を適用した場合について説明する。
【００２１】
本発明の一実施形態による液晶テレビジョン装置１００は、図１に示すように、テレビアンテナ２０を介してデジタルテレビジョン信号およびアナログテレビジョン信号を受信するテレビ受信部１と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格およびＤＶＩ−Ｄ（Ｄｉｇｉｔａｌ  Ｖｉｓｕａｌ  Ｉｎｔｅｒｆａｃｅ  Ｄｉｇｉｔａｌ）規格に対応するとともに、デジタル外部機器３０からデジタル信号を受信するデジタル信号受信部２と、コンポーネント接続、コンポジット接続およびＰＣ入力インターフェースに対応するとともに、アナログ外部機器４０からアナログ信号を受信するアナログ信号受信部３とを備えている。ここで、ＨＤＭＩ規格とは、テレビジョン装置とビデオ再生機またはＤＶＤ装置とを接続し、映像だけではなく、音声や制御信号も１本のケーブルで転送可能な接続規格の１つであり、ＤＶＩ−Ｄ規格とは、コンピュータとモニタ（表示部）とを接続するＤＶＩインターフェースで使用されるデジタル信号を送受信するための接続規格の１つである。
【００２２】
また、液晶テレビジョン装置１００は、テレビ受信部１が受信するデジタルテレビジョン信号およびアナログテレビジョン信号のうちのいずれか１つを選択するＡ／Ｄセレクタ４と、Ａ／Ｄセレクタ４によって選択されたデジタルテレビジョン信号をデコード（復号）するＡＶデコーダ５と、アナログテレビジョン信号をＹ／Ｃ分離する３次元Ｙ／Ｃ分離回路部６とをさらに備えている。
【００２３】
また、液晶テレビジョン装置１００は、デジタル信号受信部２、アナログ信号受信部３、ＡＶデコーダ５および３次元Ｙ／Ｃ分離回路部６から伝達される信号に基づく映像データのうちのいずれか１つを選択するＡＶセレクタ７と、ＡＶセレクタ７によって選択された映像データの処理を行う映像処理部８と、映像処理が行われた映像データに基づいて映像を表示する液晶モニタ９と、各種データを記憶するメモリ１０と、液晶モニタ９に表示される映像の明るさの設定を制御する制御部１１とをさらに備えている。また、各構成要素は、バス（伝送路）１２を介して互いに接続されることによって、制御信号および制御上のデータを互いに通信することが可能なように構成されている。
【００２４】
また、テレビ受信部１は、デジタルテレビジョン信号については、高周波デジタル変調信号のうちから任意に選択された周波数のデジタル変調信号を取り出すとともに、選択されたデジタル変調信号を復調してＡ／Ｄセレクタ４に出力するように構成されている。また、テレビ受信部１は、アナログテレビジョン信号については、選択された周波数の放送信号波を復調してＡ／Ｄセレクタ４に出力するように構成されている。
【００２５】
また、アナログ信号受信部３は、Ａ／Ｄ変換処理（アナログ／デジタル変換処理）を行うとともに、コンポジット接続により受信した信号については、Ｙ／Ｃ分離を行うように構成されている。
【００２６】
また、映像処理部８は、ＡＶセレクタ７によって選択された映像データに基づいて、液晶モニタ９に表示する映像のサイズを調整するとともに、デフォルトまたはユーザによる設定に基づいて映像の明るさ、コントラストおよび色合いなどの画質調整を行うように構成されている。また、映像処理部８は、ＡＶセレクタ７によって選択されたＹＣｂＣｒ形式のデジタル映像データを液晶モニタ９で表示可能なようにＲＧＢ形式のデジタル映像データに変換するように構成されている。ここで、ＹＣｂＣｒ形式とは、輝度信号（Ｙ）と差分信号（ＣｂおよびＣｒ）とによって色を表現する色分解の形式の１つである。また、ＲＧＢ形式は、光の３原色である赤色（Ｒ）、緑色（Ｇ）および青（Ｂ）により構成され、ＲＧＢの各色を組み合わせることによって様々な色を表現することが可能である。たとえば、ＲＧＢの各色に８ビットづつのメモリ容量が割り当てられた場合には、それぞれ２５６階調の明るさを表現することが可能であり、その結果、１，６７７万色以上の色を表現することが可能である。
【００２７】
ここで、本実施形態では、液晶モニタ９は、映像を表示する液晶パネル９ａと、液晶パネル９ａを背面側から照射するバックライト９ｂとを含んでいる。また、液晶パネル９ａは、図示しない液晶材料が、２枚の透明なガラス板（図示せず）に挟まれており、液晶材料に印加される電圧量に基づいてバックライト９ｂから照射される光の透過量を調整することによって、ガラス板の前面側（バックライト９ｂが配置される側とは反対側）に配置される赤色、緑色および青色から構成されるカラーフィルター（図示せず）を透過する光の量を調整するように構成されている。これにより、本実施形態では、液晶モニタ９に表示する映像を、赤色、緑色および青色のそれぞれ０〜２５５までの２５６階調（階調の値が大きいほど明るい）の明るさの組み合わせで、表現することが可能なように構成されている。なお、液晶パネル９ａは、本発明の「表示部」の一例である。
【００２８】
また、図２に示すように、バックライト９ｂは、発光した時間の合計である総発光時間が、ある時間を越えると、明るさが徐々に低下していく寿命特性を有している。また、バックライトの総発光時間は、バックライト総発光時間計測部１３（図１参照）によって計測されるように構成され、バックライト総発光時間計測部１３は、バス１２を介して制御部１１と通信することが可能なように接続されている。
【００２９】
また、本実施形態では、メモリ１０には、ＲＧＢ形式の赤色、緑色および青色のそれぞれの階調を調整するためのテーブルが格納されている。図３は、図１に示した本発明の一実施形態による液晶テレビジョン装置のメモリに記憶されるテーブルの一例を示した図である。ここでは、図３を参照して、テーブルの一例であるＲＧＢ値設定テーブル１０ａの構成について説明する。なお、ＲＧＢ値設定テーブル１０ａは、バックライト９ｂが、総発光時間８０００時間を越えると、徐々に明るさが低下するバックライト寿命特性を有している場合を想定したテーブルであるとともに、赤色、緑色および青色の全てに共通して使用されるように構成されている。
【００３０】
まず、本実施形態では、デジタル映像データが映像処理部８によってＹＣｂＣｒ形式からＲＧＢ形式に変換される際に、ＹＣｂＣｒ形式の映像データに含まれる色の情報に基づいて、ＲＧＢ形式の赤色、緑色および青色に、それぞれ０〜２２０階調までの値が初期値（図３の最左列参照）として設定される。このＲＧＢ設定値テーブル１０ａには、バックライト９ｂの所定の総発光時間ごとに、初期値に対して調整された階調の値の情報が含まれている。たとえば、バックライト９ｂの総発光時間が８２５０時間を越えた場合には、図３の左から３列目に示すように、初期値に対して２％大きい階調の値となる。さらに、バックライト９ｂの総発光時間が最終調整時間の９０００時間を越えた場合には、図３の最右列に示すように、初期値に対して２０％大きい階調の値となるように構成されている。このように、バックライト９ｂの総発光時間に応じて、階調の値が初期値に対する割合で調整されることによって、値の大きい（明るい）階調ほど、初期値と調整された階調の値との差が大きくなる。これにより、バックライト９ｂの明るさが低下して、本来表現されるべき色（明るさ）で表現できなくなった場合に、より影響を受け易い明るい色ほど、より効果のある調整を行うことが可能である。なお、本実施形態では、赤色、緑色および青色のそれぞれの初期値の最も大きい（最も明るい）階調の値が２２０になるように構成されている。また、総発光時間が９０００時間を超えると、階調の値が初期値に対して２０％大きくなるので、初期値が２２０階調の場合には、調整された階調の値が２５５を超えることになるが、本実施形態では、最大の階調の値が２５５になるように調整されている。
【００３１】
また、上述のように、バックライト９ｂは、ある総発光時間を越えると徐々に明るさが低下する特性を有しているが、図２に示すように、それに伴って明るさの設定を上げるように調整することによって、映像の明るさが低下するのを補完することが可能である。
【００３２】
ここで、本実施形態では、制御部１１は、バックライト９ｂの総発光時間に応じて、ＲＧＢ値設定テーブル１０ａに基づいて、液晶モニタ９に表示する映像の明るさの設定を調整するように構成されている。具体的には、制御部１１は、ＲＧＢ値設定テーブル１０ａに基づいて、バックライト９ｂの総発光時間に応じて、映像の明るさの設定をより明るくするように制御し、制御部１１による映像の明るさの設定の制御は、ＲＧＢの各色のそれぞれの階調の設定値を調整することにより行うとともに、バックライト９ｂの総発光時間の増加に応じて、段階的に映像の明るさの設定を調整するように構成されている。これにより、バックライト９ｂの総発光時間の増加に伴ってバックライト９ｂの明るさが徐々に低下する場合に、制御部１１が、バックライト９ｂの輝度を明るくするように調整することなく、映像の明るさが低下するのを段階的に補完し、その結果、映像の明るさを維持することが可能である。また、バックライト９ｂの輝度を明るくするように調整する必要がないので、バックライト９ｂの寿命に影響を与えない。
【００３３】
図４は、図１に示した本発明の一実施形態による液晶テレビジョン装置の映像信号の処理動作を説明するためのフローチャートである。次に、図４を参照して、本発明の一実施形態による液晶テレビジョン装置１００の映像信号の処理動作について説明する。
【００３４】
まず、図４のステップＳ１において、テレビ受信部１、デジタル信号受信部２およびアナログ信号受信部３により、それぞれに対応する形式の映像信号が受信される。そして、ステップＳ２において、必要に応じて、映像信号は、復調、３次元Ｙ／Ｃ分離、Ａ／Ｄ変換処理が行われ、ＡＶセレクタ７に伝達される。次に、ステップＳ３において、映像処理部８によって、ＡＶセレクタ７で選択された映像データは、サイズを調整される。そして、ステップＳ４において、デフォルトまたはユーザによる設定に基づいて映像の明るさ、コントラストおよび色合いなどの画質調整が行われるとともに、バックライト９ｂの総発光時間が所定の時間を越えている場合には、ＲＧＢ値設定テーブル１０ａに基づいて、映像の明るさの設定が調整される。そして、ステップＳ５において、設定が調整された階調の値に基づいて、映像が液晶モニタ９に表示され、動作が終了される。
【００３５】
図５は、図１に示した本発明の一実施形態による液晶テレビジョン装置のＲＧＢ形式の階調の設定値を調整する動作を説明するためのフローチャートである。次に、図５を参照して、本発明の一実施形態による液晶テレビジョン装置１００のＲＧＢ形式の階調の設定値を調整する動作について説明する。
【００３６】
まず、図５のステップＳ１１において、バックライト９ｂが発光しているか否かが判断され、発光していないと判断された場合には、この判断が繰り返される。一方、バックライト９ｂが発光していると判断された場合には、ステップＳ１２において、バックライト総発光時間計測部１３により、バックライト９ｂの総発光時間が計測される。そして、ステップＳ１３において、バックライト９ｂの総発光時間が所定の総発光時間を越えたか否かが判断され、所定の総発光時間を越えていないと判断された場合には、この判断が繰り返される。一方、所定の総発光時間を越えたと判断された場合には、ステップＳ１４において、ＲＧＢ値設定テーブル１０ａに基づいて、ＲＧＢ形式の赤色、緑色および青色のそれぞれの階調の設定値が調整される。そして、ステップＳ１５において、バックライト９ｂの総発光時間が最終調整時間を越えたか否かが判断され、超えていないと判断された場合には、ステップＳ１３に移行し、超えていると判断された場合には、動作が終了される。
【００３７】
本実施形態では、上記のように、映像を表示する液晶パネル９ａと、液晶パネル９ａを照射するバックライト９ｂと、映像の明るさの設定を制御する制御部１１とを設け、制御部１１を、バックライト９ｂの総発光時間に応じて、映像の明るさの設定をより明るくするように制御するように構成することによって、バックライト９ｂの輝度が低下した場合に、バックライト９ｂの輝度を明るくするように調整することなく、液晶パネル９ａに表示する映像の明るさを維持することができるとともに、バックライト９ｂの輝度を明るくするように調整する必要がないので、バックライト９ｂの寿命に影響を与えない。
【００３８】
また、本実施形態では、制御部１１を、バックライト９ｂの総発光時間の増加に応じて、段階的に映像の明るさの設定を調整するように構成することによって、バックライト９ｂの総発光時間が増加するのに伴ってバックライト９ｂの明るさが徐々に低下する場合に、制御部１１が、映像の明るさが低下するのを段階的に補完することができる。
【００３９】
また、本実施形態では、液晶パネル９ａに表示する映像を、ＲＧＢ形式の赤色、緑色および青色により表現し、制御部１１を、バックライト９ｂの総発光時間に応じて、ＲＧＢ形式の各色のそれぞれの階調の設定値を調整することによって、制御部１１が、それぞれの色の明るさを調整することができるので、バックライト９ｂの総発光時間に応じて映像の明るさを調整することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、テレビジョン装置および表示装置の一例として液晶テレビジョン装置を示したが、本発明はこれに限らず、バックライトを備えた表示装置であれば、液晶テレビジョン装置以外の他のテレビジョン装置および表示装置にも適用可能である。
【００４２】
また、上記実施形態では、映像をＲＧＢ形式によって表現する例を示したが、本発明はこれに限らず、映像の明るさの設定を調整することが可能な形式であれば、他の形式を用いてもよい。
【００４３】
また、上記実施形態では、ＲＧＢ形式の各色の階調の設定値を、初期値に対する割合で調整する例を示したが、本発明はこれに限らず、バックライトの明るさが低下するのを補完することができれば、たとえば、オフセット値を用いて調整してもよいし、階調ごとに固有に調整値を設定してもよい。
【図面の簡単な説明】
【００４４】
【図１】本発明の一実施形態による液晶テレビジョン装置の構成を説明するためのブロック図である。
【図２】図１に示した本発明の一実施形態による液晶テレビジョン装置のバックライトの寿命特性と映像の明るさ設定とを示した図である。
【図３】図１に示した本発明の一実施形態による液晶テレビジョン装置のメモリに記憶されるテーブルの一例を示した図である。
【図４】図１に示した本発明の一実施形態による液晶テレビジョン装置の映像信号の処理動作を説明するためのフローチャートである。
【図５】図１に示した本発明の一実施形態による液晶テレビジョン装置のＲＧＢ形式の階調の設定値を調整する動作を説明するためのフローチャートである。
【符号の説明】
【００４５】
９ａ      液晶パネル（表示部）
９ｂ      バックライト
１１      制御部
１３      バックライト総発光時間計測部
１００    液晶テレビジョン装置（テレビジョン装置および表示装置）
【図１】
2008224780.tif 000003
【図２】
2008224780.tif 000004
【図３】
2008224780.tif 000005
【図４】
2008224780.tif 000006
【図５】
2008224780.tif 000007